(57)【要約】【課題】  組立性がよく、部品点数を最小限に抑えた安価なモードダイヤルを有する電子機器を提供する。【解決手段】  電子機器本体の一部に設けられた複数の位置が選択可能な操作部材と、操作部材の移動により選択された位置を電気的導通の可否によって検知するための接点端子と、操作部材の少なくとも一つの位置の移動を制限するロック部材とを備え、ロック部材を常に操作部材の移動を制限する方向に付勢する付勢部を前記接点端子に設けた。【選択図】  図３
2005050637.tif 000002
【特許請求の範囲】
【請求項１】
電子機器本体の一部に設けられた複数の位置が選択可能な操作部材と、前記操作部材の移動により選択された位置を電気的導通の可否によって検知するための接点端子と、前記操作部材の少なくとも一つの位置の移動を制限するロック部材とを備え、前記ロック部材を常に前記操作部材の移動を制限する方向に付勢する付勢部を前記接点端子に備えたことを特徴とした電子機器。
【請求項２】
複数の動作モードに切り替え可能な電子機器において、前記電子機器本体の一部に設けられたモードダイヤルと、前記複数の動作モードのうちで、前記モードダイヤルの回転移動角度により選択された位置を電気的導通の可否によって検知するための接点端子部材と、前記モードダイヤルの少なくとも一つの位置の移動を制限するロック部材とを備え、前記ロック部材を常に前記モードダイヤルの移動を制限する方向に付勢する付勢部を前記接点端子部材に備えたことを特徴とした電子機器。
【請求項３】
前記複数の動作モードはオフ，ＶＴＲモード，カメラモードを含む動作モードであることを特徴とした請求項２に記載の電子機器。
【発明の詳細な説明】
【技術分野】
【０００１】
本発明は、例えばビデオカメラのモード切り替えを行うための操作機構を設けたビデオカメラ等の電子機器に関するものである。
【背景技術】
【０００２】
まず、従来のビデオカメラにおけるモードダイヤルの構成と動作を図５及び図６を参照しながら説明する（例えば、特許文献１参照）。図５はビデオカメラの正面方向（被写体側）から見た斜視図、図６は同ビデオカメラの後方（撮影者側）から見た斜視図である。
【０００３】
図５及び図６において、１０はビデオカメラ本体、１０ａはビデオカメラ本体１０の長手方向前方（被写体側）に設けられたレンズ部、１０ｂは撮影音声を集音するマイク部、１０ｃは液晶モニタ部でありヒンジ機構１０ｄによって開閉及び回転が可能である。１０ｅはファインダー部、１０ｆはビデオカメラ本体１０に電源電圧を供給する電源電池であるバッテリーで、一般に充電池からなる。
【０００４】
２はモードダイヤルであり、このダイヤルを回転することにより、電源オフ、カメラ、ＶＴＲなどの動作モードを切替えることが出来る。３は、カメラモード時の録画の開始、停止を行うためのスタート／ストップボタン、１１はモードロックボタンである。
【０００５】
次にモードダイヤルの構成について詳しく説明する。図７はモードダイヤル部の分解斜視図、図８は背面カバーにモードダイヤル機構を取付けた状態を本体内部から見た平面図、図９は図８におけるＢＢ断面図である。
【０００６】
これらの図において、１は背面カバー、２はモードダイヤル、３はスタート／ストップボタン、１１はモードロックボタン、１２はモードロックボタンを上方に付勢するコイルバネ、１３はクリック板、６は板バネ、１４は接点端子、８はプリント基板である。
【０００７】
スタート／ストップボタン３はモードダイヤル２に設けられた嵌合穴２ａに嵌合されると共にプリント基板８に実装されたタクトスイッチ８ａによって上方に付勢される。
モードダイヤル２は背面カバー１に設けられた回動支持穴１ａに軸部２ｂが嵌合される。またモードロックボタン１１は背面カバー１に設けられた係合部１ｂに突起部１１ａが係合されると共にモードダイヤル２に設けられた嵌合穴２ｃからモードダイヤル２の外面から突出させるように取付けられる。
【０００８】
コイルバネ１２はモードロックボタン１１に設けられらバネ止めピン１１ｂによって係合され、クリック板１３に挟み込まれることでモードロックボタン１１を上方に付勢する。接点端子１４はプリント基板８に設けられた所定の導体パターンに上を摺動することにより、あらかじめ決められた電源オフ、カメラ、ＶＴＲなどのモードに切替えることができる。モードダイヤル２、モードロックボタン１１、コイルバネ１２、クリック板１３はモードダイヤル２に設けられた溶着ボス２ｄ，２ｅ，２ｆ，２ｇがクリック板及び接点端子に設けられた穴１３ａ，１３ｂ，１３ｃ，１３ｄ，１４ａ，１４ｂに嵌合された状態で溶着固定され、これらの部品はモードダイヤル２と一体となって回転動作が可能となる。
【０００９】
６は板バネであり、クリック板１３に設けられた凹凸部１３ｅに、凸部６ａが弾接した状態で背面カバー１に取付けられる。
【００１０】
プリント基板８には複数の接点ランドが設けられ、所定の接点ランドが接点端子に弾接されるように、ビス９ａ，９ｂによって背面カバー１に取付けられる。
【００１１】
以上のような構成において、モードロックボタン１１の突起部１１ａが背面カバー１の係合部１ｂによって係止され、モードダイヤル２を回転できない状態から、図１０に示すように、モードロックボタン１１を下方に押しながらモードダイヤル２を回転すると、モードロックボタン１１の突起部１１ａが背面カバーの係合部１ｂの厚みより下に移動するため、ロックが解除されモードダイヤル２を回転させることが可能となる。
【００１２】
そして、この状態からモードダイヤル２の回転動作を行うと背面カバー１に固定された板バネ６の凸部６ａがクリック板の凹凸部１３ｅ上を弾性摺動することによって所定の角度でクリック感得られと共に、モードダイヤル２が弾性保持される。また、モードダイヤル２の回転によって、接点端子１４がプリント基板８に設けられた所定の導体パターン上を弾接摺動し、電源オフの状態からあらかじめ決められたカメラ、ＶＴＲなどのモードに切替えることができる。
【００１３】
また、モードダイヤル２を回転して図８の状態の戻すと、コイルバネ１２によって上方に付勢されたモードロックボタン１１が背面カバー１の係合部１ｂによって係止され、モードダイヤル２がロック状態となる。
【特許文献１】特開２０００−１９５３６１号公報
【発明の開示】
【発明が解決しようとする課題】
【００１４】
しかしながら、上記従来のモードダイヤルにおいては、電源オフの状態でロックがかかるので、携帯時に他の物と触れた摩擦や衝撃によってモードダイヤルが回転してしまったり、或いは誤って電源をオンにしてしまう等のいわゆる誤操作が生じるのを防ぐ効果がある反面、操作部が複雑化することで組み立てが難しくなる上、部品点数が増加するためコスト高になるといった問題があった。
【００１５】
本発明は上記のような問題点を解決するためになされたものであり、組立性がよく、部品点数を最小限に抑えた安価なモードダイヤルを有する電子機器を提供することを目的とする。
【課題を解決するための手段】
【００１６】
上記の目的を達成するために、請求項１に記載の発明に係る電子機器は、電子機器本体の一部に設けられた複数の位置が選択可能な操作部材と、前記操作部材の移動により選択された位置を電気的導通の可否によって検知するための接点端子と、前記操作部材の少なくとも一つの位置の移動を制限するロック部材とを備え、前記ロック部材を常に前記操作部材の移動を制限する方向に付勢する付勢部を前記接点端子に備えたことを特徴とした。
【００１７】
請求項２に記載の発明に係る電子機器は、複数の動作モードに切替え可能な電子機器において、前記電子機器本体の一部に設けられたモードダイヤルと、前記複数の動作モードのうちで、前記モードダイヤルの回転移動角度により選択された位置を電気的導通の可否によって検知するための接点端子部材と、前記モードダイヤルの少なくとも一つの位置の移動を制限するロック部材とを備え、前記ロック部材を常に前記モードダイヤルの移動を制限する方向に付勢する付勢部を前記接点端子部材に備えたことを特徴とした。
【００１８】
請求項３に記載の発明に係る電子機器は、請求項２に記載の電子機器において、前記複数の動作モードはオフ，ＶＴＲモード，カメラモードを含む動作モードであることを特徴とした。
【発明の効果】
【００１９】
本発明によれば、モードダイヤルの回転をロックするモードロックボタンをロック方向に付勢するための弾性部を接点端子に設けたことによって、構成部品点数が減り、安価で、且つ組み立てが容易な操作機構を有した撮像装置を提供することが可能となる。
【発明を実施するための最良の形態】
【００２０】
以下、本発明の実施例について図を参照しながら説明する。なお、本実施の形態におけるビデオカメラについて、その特徴となるのはモードダイヤルに関する部分であり、それ以外の構成については従来の技術の項で説明した構成と同じであるので説明を省略する。
【００２１】
図１は本発明の実施例におけるモードダイヤル部の分解斜視図、図２は本発明の実施例における背面カバーにモードダイヤル機構を取付けた状態を本体内部から見た平面図、図３は図２におけるＡＡ断面図である。
【００２２】
これらの図において、１は背面カバー、２はモードダイヤル、３はスタート／ストップボタン、４はモードロックボタン、５はクリック板、６は板バネ、７は接点端子、８はプリント基板である。
【００２３】
スタート／ストップボタン３はモードダイヤルに設けられた嵌合穴２ａに嵌合されると共にプリント基板８に実装されたタクトスイッチ８ａによって上方に付勢される。
【００２４】
モードダイヤル２は背面カバー１に設けられた回動支持穴１ａに軸部２ｂが嵌合される。またモードロックボタン４は背面カバー１に設けられた係合部１ｂに突起部４ａが係合されると共にモードダイヤル２に設けられた嵌合穴２ｃからモードダイヤル２の外面から突出させるように取付けられる。
【００２５】
接点端子７はプリント基板８に設けられた所定の導体パターンに上を摺動することにより、あらかじめ決められた電源オフ、カメラ、ＶＴＲなどのモードに切替えることができる。また、７ｃは接点端子７に設けられた弾性部であり、モードロックボタン４に設けられたピン４ｂに当接し、モードロックボタン４を上方に付勢する。
【００２６】
モードダイヤル２、モードロックボタン４、クリック板５はモードダイヤル２に設けられた溶着ボス２ｄ，２ｅ，２ｆ，２ｇがクリック板５及び接点端子７に設けられた穴５ａ，５ｂ，５ｃ，５ｄ，７ａ，７ｂに嵌合された状態で溶着固定され、これらの部品はモードダイヤル２と一体となって回転動作が可能となる。
【００２７】
６は板バネであり、クリック板５に設けられた凹凸部５ｅに、凸部６ａが弾接した状態で背面カバー１に取付けられる。
【００２８】
プリント基板８には複数の接点ランドが設けられ、所定の接点ランドが接点端子７に弾接されるように、ビス９ａ，９ｂによって背面カバー１に取付けられる。
【００２９】
以上のような構成において、モードロックボタン４の突起部４ａが背面カバーの係合部１ｂによって係止され、モードダイヤル２を回転できない状態から、図４に示すように、モードロックボタン４を下方に押しながらモードダイヤル２を回転すると、モードロックボタン４の突起部４ａが背面カバー１の係合部１ｂの厚みより下に移動するため、ロックが解除されモードダイヤル２を回転させることが可能となる。
【００３０】
そして、この状態からモードダイヤル２の回転動作を行うと背面カバーに固定された板バネ６の凸部６ａがクリック板５の凹凸部５ｅ上を弾性摺動することによって所定の角度でクリック感得られと共に、モードダイヤル２が弾性保持される。また、モードダイヤル２の回転によって、接点端子７がプリント基板８に設けられた所定の導体パターン上を弾接摺動し、電源オフの状態からあらかじめ決められたカメラ、ＶＴＲなどのモードに切替えることができる。
【００３１】
また、モードダイヤル２を回転して図２の状態の戻すと、接点端子に設けられた弾性部７ｃによって上方に付勢されたモードロックボタン４の突起部４ａが背面カバー１の係合部１ｂによって係止され、モードダイヤル２がロック状態となる。
【００３２】
このように、本発明の実施例では、モードダイヤルの回転をロックするモードロックボタンをロック方向に付勢する弾性部を接点端子に設けたことによって、構成部品点数が減り、安価で、且つ組み立てが容易となる。
【図面の簡単な説明】
【００３３】
【図１】本発明の実施例におけるモードダイヤル機構の分解斜視図である。
【図２】本発明の実施例における背面カバーにモードダイヤル機構を取付けた状態を本体内部から見た平面図である。
【図３】図２におけるＡＡ断面図である。
【図４】本発明の実施例におけるモードダイヤル機構のロック解除を説明するための図である。
【図５】従来のビデオカメラを正面方向から見た斜視図である。
【図６】従来のビデオカメラを後方から見た斜視図である。
【図７】従来のビデオカメラにおけるモードダイヤル機構の分解斜視図である。
【図８】従来のビデオカメラにおける背面カバーにモードダイヤル機構を取付けた状態を本体内部から見た平面図である。
【図９】図７におけるＢＢ断面図である。
【図１０】従来のビデオカメラにおけるモードダイヤル機構のロック解除を説明するための図である。
【符号の説明】
【００３４】
１  背面カバー
２  モードダイヤル
３  スタート／ストップボタン
４  モードロックボタン
５  クリック板
６  板バネ
７  接点端子
８  プリント基板
９ａ，９ｂ  ビス
【図１】
2005050637.tif 000003
【図２】
2005050637.tif 000004
【図３】
2005050637.tif 000005
【図４】
2005050637.tif 000006
【図５】
2005050637.tif 000007
【図６】
2005050637.tif 000008
【図７】
2005050637.tif 000009
【図８】
2005050637.tif 000010
【図９】
2005050637.tif 000011
【図１０】
2005050637.tif 000012